(57)【要約】    【課題】  玄関を出入りする人にとって快適な環境を確実に生成しつつ、玄関ホールを通り過ぎるだけの人を検知していたずらに照明器具を点灯させることのない玄関収納家具を提供することを課題とする。    【解決手段】  玄関収納家具１を、玄関ドアＤ側の背の低いカウンター付きベースキャビネット１３と、玄関ホールＨ側の背の高いサイドキャビネット１４と、これらの上方に配設された左右のウォールキャビネット１５，１５とで、正面視でコ字状に構成する。そして、人体検知器１６ａと照明器具１６ｂとが一体化された人体検知器付き照明器具１６を、左側のウォールキャビネット１５の下面で、かつサイドキャビネット１４寄りに取り付ける。【選択図】    図１
2006192166.tif 000002
【特許請求の範囲】
【請求項１】
玄関の側壁面に沿って設置される収納家具であって、
下方に空間が形成されるように設けられた上部キャビネットと、
該キャビネットを挟んで玄関ドアと反対側に設けられた側部キャビネットとを有すると共に、
人体を検知しているときに照明器具を点灯させる人体検知器が備えられており、
前記人体検知器は、前記上部キャビネットの下面で、かつ前記側部キャビネット寄りに取り付けられていることを特徴とする玄関収納家具。
【請求項２】
請求項１に記載の玄関収納家具において、
前記人体検知器は、前記上部キャビネット下面の前記側部キャビネット寄りで、かつ前記側壁面寄りに取り付けられていることを特徴とする玄関収納家具。
【請求項３】
請求項１または請求項２に記載の玄関収納家具において、
前記照明器具は、前記上部キャビネットに取り付けられていることを特徴とする玄関収納家具。
【請求項４】
請求項１から請求項３のいずれかに記載の玄関収納家具において、
前記照明器具は、ダウンライトタイプであることを特徴とする玄関収納家具。
【請求項５】
請求項３または請求項４に記載の玄関収納家具において、
前記人体検知器と前記照明器具とは、一体に備えられていることを特徴とする玄関収納家具。
【発明の詳細な説明】
【技術分野】
【０００１】
本発明は、住宅等の玄関に設置される収納家具に関し、家具の技術分野に属する。
【背景技術】
【０００２】
従来、住宅等に設置される収納家具には、人体を検知して照明器具を点灯させる人体検知器を備えたものがあり、そのような収納家具として例えば特許文献１に開示のものが例示される。
【０００３】
すなわち、特許文献１には、下部の調理台と上部の天袋とを有し、天袋の前面上端に人体を検知する人体検知器が、また、天袋の下面に照明器具が備えられた厨房設備が開示されており、前記検知器が人体を検知しているときにのみ前記照明器具が点灯して調理台上を照らすようになっている。これにより、照明器具の点灯や消灯が自動化されると共に、必要時にのみ照明器具を点灯させるため消費電力が節約されるようになる。
【０００４】
【特許文献１】実開昭６３−１３３１２９号公報
【発明の開示】
【発明が解決しようとする課題】
【０００５】
ところで、履物や傘等を収納するため、下方のベースキャビネットやサイドキャビネット、上方のウォールキャビネット等を有する収納家具が、玄関の側壁面に沿って土間と玄関ホールとに跨って設置されることがあり、これに人体を検知したときに照明器具を点灯させる人体検知器を備えて、玄関を出入りする人の足元を良好に照らした上で、前述した厨房設備と同様に照明器具の点灯や消灯の自動化と消費電力の節約とを図ることが考えられる。
【０００６】
その場合に、この玄関収納家具に前記特許文献１に開示の人体検知器や照明器具の配設構造を適用すると、例えば図７に示すように、側壁面Ｗに沿って設置された玄関収納家具Ａの前記天袋に相当するウォールキャビネットＡ１の前面上端に人体検知器Ａ２を備えると共に、前記ウォールキャビネットＡ１の下面に照明器具Ａ３を備えることになる。このような構成によれば、ドットを付して示すように前記人体検知器Ａ２の検知エリアが広くなることから、矢印ｘで示すように玄関ドアＤを開閉して出入りする人を検知して照明器具Ａ３を点灯させて足元や土間Ｇと玄関ホールＨとの段差を照らす等、快適な環境を生成するものの、矢印ｙで示すように玄関ホールＨを通り過ぎるだけの人も検知して照明器具Ａ３を点灯させるため、消費電力のさらなる節約を図る上で問題となる。
【０００７】
この問題を解消するには、検知エリアのより狭い人体検知器の使用や、検知方向を玄関ホールＨ側よりも玄関ドアＤ側に向けた人体検知器の取り付けが考えられるが、前者では玄関ドアＤ側に検知することができないエリアが生じるという問題が、後者では余分に取付部品が必要となって作業も面倒であるばかりでなく、デザイン的にもすっきりしたものではなくなるという問題がある。
【０００８】
そこで、本発明は、玄関を出入りする人にとって快適な環境を確実に生成しつつ、玄関ホールを通り過ぎるだけの人を検知していたずらに照明器具を点灯させることのない玄関収納家具を提供することを課題とする。
【課題を解決するための手段】
【０００９】
前記課題を解決するため、本発明は次のように構成したことを特徴とする。
【００１０】
まず、請求項１に記載の発明は、玄関の側壁面に沿って設置される収納家具であって、下方に空間が形成されるように設けられた上部キャビネットと、該キャビネットを挟んで玄関ドアと反対側に設けられた側部キャビネットとを有すると共に、人体を検知しているときに照明器具を点灯させる人体検知器が備えられており、前記人体検知器は、前記上部キャビネットの下面で、かつ前記側部キャビネット寄りに取り付けられていることを特徴とする。
【００１１】
次に、請求項２に記載の発明は、前記請求項１に記載の玄関収納家具において、前記人体検知器は、前記上部キャビネット下面の前記側部キャビネット寄りで、かつ前記側壁面寄りに取り付けられていることを特徴とする。
【００１２】
また、請求項３に記載の発明は、前記請求項１または請求項２に記載の玄関収納家具において、前記照明器具は、前記上部キャビネットに取り付けられていることを特徴とする。
【００１３】
また、請求項４に記載の発明は、前記請求項１から請求項３のいずれかに記載の玄関収納家具において、前記照明器具は、ダウンライトタイプであることを特徴とする。
【００１４】
そして、請求項５に記載の発明は、前記請求項３または請求項４に記載の玄関収納家具において、前記人体検知器と前記照明器具とは、一体に備えられていることを特徴とする。
【発明の効果】
【００１５】
まず、請求項１に記載の発明によれば、玄関ドア側には人体検知器の検知エリアを効果的に遮るものがないため、玄関ドア近傍や土間に及ぶ十分に広い検知エリアが確保される。したがって、玄関を出入りする人は人体検知器で確実に検知されて、点灯する照明器具によって足元が良好に照らされることになり、玄関を出入りする人にとって快適な環境を確実に生成することができる。
【００１６】
一方、人体検知器は側部キャビネット寄りに取り付けられていることから、玄関ホール側への検知エリアの進入は側部キャビネットの側面で効果的に遮られるため、人体検知器が玄関ホールを通り過ぎるだけの人を検知していたずらに照明器具を点灯させることがなくなり、消費電力のさらなる節約を図ることができる。
【００１７】
次に、請求項２に記載の発明によれば、人体検知器の設置場所が最適化されて、前記請求項１における効果が一層確実に得られる。
【００１８】
また、請求項３に記載の発明によれば、人体検知器に加えて照明器具も玄関収納家具に備えられているので、この玄関収納家具の設置のみで施工が完結し、別途工事は不要である。
【００１９】
また、請求項４に記載の発明によれば、ダウンライトタイプの照明器具によって例えば必要箇所を集中的に照らしたり、あるいは柔らかいイメージで照らすことができ、単なる蛍光灯照明では得られない高級な雰囲気が醸し出される。
【００２０】
そして、請求項５に記載の発明によれば、人体検知器と前記照明器具とを一体化することで、施工性とデザイン性とが向上する。
【発明を実施するための最良の形態】
【００２１】
以下、本発明の実施の形態に係る玄関収納家具について説明する。
【００２２】
図１及び図２に示すように、この玄関収納家具１は、側壁面Ｗに沿って、一対の木脚（手前側のみ図示）１１，１１と台輪１２とを介して、土間Ｇと玄関ホールＨとに跨って設置されており、図例上左側つまり玄関ドアＤ側の背の低いカウンター付きベースキャビネット１３と、図例上右側つまり玄関ホールＨ側の背の高いサイドキャビネット１４と、これらの上方に配設された左右のウォールキャビネット１５，１５とを有し、正面視でコ字状に構成されている。すなわち、下方のベースキャビネット１３と上方左側のウォールキャビネット１５との間に、空間Ｓが形成されている。
【００２３】
また、各キャビネット１３，１４，１５，１５は前面が観音開き構造とされており、同程度の比較的幅広である。なお、ベースキャビネット１３及びサイドキャビネット１４は図示しないビスで台輪１２に固定されている。さらに、各キャビネット１３，１４，１５，１５は隣接するもの同士図示しないビスで連結され、側壁面Ｗに同じく図示しないビスで固定されている。
【００２４】
そして、左側のウォールキャビネット１５の下面に、人体検知器１６ａと照明器具１６ｂとが一体化された人体検知器付き照明器具１６が取り付けられている。その場合の人体検知器付き照明器具１６の取付位置は、左側のウォールキャビネット１５の下面において、該ウォールキャビネット１５の奥行き方向の中央で、かつサイドキャビネット１４寄りの箇所である。この人体検知器付き照明器具１６は、内蔵された人体検知器１６ａが人体を検知しているときに照明器具１６ｂを点灯させるように構成されている。なお、人体検知器１６ａには、例えば赤外線センサ型で、検出距離が最大２〜５ｍ程度のものが好ましく使用可能である。一方、照明器具１６ｂはダウンライトタイプのものである。
【００２５】
以上のように構成したことにより、図１及び図２に検知エリアをドットを付して示すように、玄関ドアＤ側には人体検知器１６ａの検知エリアを効果的に遮るものがないため、玄関ドアＤ近傍や土間Ｇに及ぶ十分に広い検知エリアが確保される。一方、人体検知器１６ａはサイドキャビネット１４寄りに取り付けられていることから、玄関ホールＨ側への検知エリアの進入はサイドキャビネット１４の側面で効果的に遮られる。
【００２６】
したがって、矢印ｘや仮想線で示すように玄関を出入りする人は人体検知器１６ａで確実に検知されて、点灯する照明器具１６ｂによって足元が良好に照らされることになり、玄関を出入りする人にとって快適な環境を確実に生成することができる。一方、人体検知器１６ａが矢印ｙや仮想線で示すように玄関ホールＨを通り過ぎるだけの人を検知していたずらに照明器具１６ｂを点灯させることがなくなり、消費電力のさらなる節約を図ることができる。
【００２７】
また、人体検知器１６ａに加えて照明器具１６ｂも玄関収納家具１に備えられているので、この玄関収納家具１の設置のみで施工が完結し、別途工事は不要である。
【００２８】
また、ダウンライトタイプの照明器具１６ｂによって例えば必要箇所を集中的に照らしたり、あるいは柔らかいイメージで照らすことができ、単なる蛍光灯照明では得られない高級な雰囲気が醸し出される。
【００２９】
そして、人体検知器１６ａと照明器具１６ｂとが一体化された人体検知器付き照明器具１６を使用することで、施工性とデザイン性とが向上する。
【００３０】
なお、本発明は、具体的に詳述した前記実施の形態に限定されることはなく、本発明の趣旨に沿うものであればよい。
【００３１】
例えば、人体検知器付き照明器具１６の取付位置を、前記図２に示した位置から図３に示す位置に変更してもよい。この場合の人体検知器付き照明器具１６の新たな取付位置は、左側のウォールキャビネット１５の下面において、該ウォールキャビネット１５の奥行き方向の奥方つまり側壁面Ｗ寄りで、かつさらに隣接する右側のウォールキャビネット１５側つまりサイドキャビネット１４側に寄せた箇所である。
【００３２】
これによれば、人体検知器１６ａの設置場所が最適化されて、前記実施の形態における効果が一層確実に得られる。すなわち、検知エリアをドットを付して示すように、玄関ドアＤ近傍や土間Ｇに及ぶ広い検知エリアを確保しつつ、玄関ホールＨ側への検知エリアの進入をサイドキャビネット１４の側面で一層効果的に遮ることができる。
【００３３】
また、前記実施の形態では、人体検知器１６ａと照明器具１６ｂとが一体化された人体検知器付き照明器具１６を使用したが、両者を別体に備えてもよい。この場合、図４に示すように、人体検知器１６ａの取付箇所は、前記図３における人体検知器付き照明器具１６と同様の箇所に設定される一方、照明器具１６ｂの取付箇所は、左側のウォールキャビネット１５の下面中央に設定されている。
【００３４】
これによれば、人体検知器１６ａと照明器具１６ｂとを別体としたことから、前記図３で示したと同様の検知エリアを確保した上で、照明器具１６ｂの取付箇所は前記人体検知器１６ａと同じ箇所に限定されることはなくなって自由度が増すことになり、照明形態の多様化を図ることができるメリットがある。
【００３５】
また、前記実施の形態における玄関収納家具１とは別なるキャビネット構成の玄関収納家具に、本発明を適用することができる。なお、特に混乱を招かない限り、前記実施の形態と共通する構成要素には同じ符号を付すことにする。
【００３６】
図５及び図６に示すように、この場合の玄関収納家具２は、側壁面Ｗに沿って、一対の木脚（手前側のみ図示）１１，１１と台輪１２とを介して、土間Ｇと玄関ホールＨとに跨って設置されており、背の低いカウンター付きベースキャビネット１３と、その左右両側の背の高いサイドキャビネット１４Ａ，１４Ｂと、これらの上方に配設された左右のウォールキャビネット１５，１５とを有し、正面視でロ字状に構成されている。すなわち、下方のベースキャビネット１３と左右のサイドキャビネット１４Ａ，１４Ｂと上方のウォールキャビネット１５，１５とに囲まれて、空間Ｓが形成されている。
【００３７】
また、ベースキャビネット１３とウォールキャビネット１５，１５とは前面が観音開き構造とされており、比較的幅広である。一方、サイドキャビネット１４Ａ，１４Ｂは片開き構造とされており、前記ベースキャビネット１３やウォールキャビネット１５，１５の半分の比較的幅狭である。
【００３８】
そして、右側のウォールキャビネット１５の下面に、人体検知器１６ａと照明器具１６ｂとが一体化された人体検知器付き照明器具１６が取り付けられている。その場合の人体検知器付き照明器具１６の取付位置は、右側のウォールキャビネット１５の下面において、該ウォールキャビネット１５の奥行き方向の奥方つまり側壁面Ｗ寄りで、かつ右側のサイドキャビネット１４Ｂ側に寄せた箇所である。なお、この人体検知器付き照明器具１６の構成は前述したものと同様であるので、説明を省略する。
【００３９】
これによれば、人体検知器１６ａによる人体の検知エリアを図５及び図６にドットを付して示すように、玄関ドアＤ側では検知エリアは左側のサイドキャビネット１４Ａの側面でわずかに遮られるものの実質的には問題となるものではなく、依然として玄関ドアＤ近傍や土間Ｇに及ぶ十分に広い検知エリアが確保される。一方、玄関ホールＨ側への検知エリアの進入は、前記図１に示した構成の玄関収納家具１の場合に比較して幾分拡大するものの実質的には問題となるものではなく、右側のサイドキャビネット１４Ｂの側面で効果的に遮られている。
【００４０】
したがって、このようなキャビネット構成の玄関収納家具２においても、矢印ｘや仮想線で示すように玄関を出入りする人は人体検知器１６ａで確実に検知されて、点灯する照明器具１６ｂによって足元が良好に照らされることになり、玄関を出入りする人にとって快適な環境を確実に生成することができる。一方、人体検知器１６ａが矢印ｙや仮想線で示すように玄関ホールＨを通り過ぎるだけの人を検知していたずらに照明器具１６ｂを点灯させることがなくなり、消費電力のさらなる節約を図ることができる。
【００４１】
また、前記実施の形態では、照明器具１６ｂを人体検知器１６ａとは別体に備える場合、この照明器具１６ｂは玄関収納家具１のウォールキャビネット１５の下面に備えられていたが、例えば、ウォールキャビネット１５の前面上端、カウンター付きベースキャビネット１３の上面、サイドキャビネット１４の空間Ｓに面する側面、あるいは天井面やいずれかの側壁面等に備えてもよく、任意である。
【００４２】
そして、前記実施の形態では、玄関収納家具１はカウンター付きベースキャビネット１３を有していたが、これを省略してもよく、さらに、玄関収納家具２はカウンター付きベースキャビネット１３やサイドキャビネット１４Ａを有していたが、これらのいずれか一方または両方を省略してもよい。
【産業上の利用可能性】
【００４３】
以上説明したように、本発明によれば、玄関を出入りする人にとって快適な環境を確実に生成しつつ、玄関ホールを通り過ぎるだけの人を検知していたずらに照明器具を点灯させることのない玄関収納家具が提供される。すなわち、本発明は、住宅等の玄関に設置される収納家具に関し、家具の技術分野に広く好適である。
【図面の簡単な説明】
【００４４】
【図１】本発明の実施の形態に係る玄関収納家具を玄関に設置した状態を示す正面図である。
【図２】同じく平面図である。
【図３】人体検知器付き照明器具の取付位置を変更した場合の図２に対応する平面図である。
【図４】人体検知器と照明器具とを別体に備えた場合の図３に対応する平面図である。
【図５】別なる構成の玄関収納家具を玄関に設置した状態を示す正面図である。
【図６】同じく平面図である。
【図７】従来の玄関収納家具における問題を説明するための平面図である。
【符号の説明】
【００４５】
１，２    玄関収納家具
１４，１４Ｂ    サイドキャビネット（側部キャビネット）
１５      ウォールキャビネット（上部キャビネット）
１６      人体検知器付き照明器具
１６ａ    人体検知器
１６ｂ    照明器具
Ｄ        玄関ドア
Ｓ        空間
Ｗ        側壁面
【図１】
2006192166.tif 000003
【図２】
2006192166.tif 000004
【図３】
2006192166.tif 000005
【図４】
2006192166.tif 000006
【図５】
2006192166.tif 000007
【図６】
2006192166.tif 000008
【図７】
2006192166.tif 000009